(57)【要約】      （修正有）【課題】自発光式の視線誘導ポールにおいて、自身の一端側から他端側にかけて列設される発光可能な複数の素子を備えた壊れにくい紐状構造体による、視線誘導ポールを提供する。【解決手段】地面に立設可能な光透過性材料からなる中空ポール本体０１０１と、ポール本体の内側空間に吊り下げられ、自身の一端側から他端側にかけて列設される発光可能な複数の素子を備えた紐状構造体０１０２とから成る、視線誘導ポール。【選択図】図１
2014105435.tif 000002
【特許請求の範囲】
【請求項１】
地面に立設可能な光透過性材料からなる中空ポール本体と、
ポール本体の内側空間に吊り下げられ、自身の一端側から他端側にかけて列設される発光可能な複数の素子を備えた紐状構造体と、
を有する視線誘導ポール。
【請求項２】
紐状構造体は、素子に対して発光するための電力を供給する導電線である請求項１に記載の視線誘導ポール。
【請求項３】
紐状構造体は、下端がポール本体に対して自由運動をするように配置されている請求項１又は２に記載の視線誘導ポール。
【請求項４】
前記素子は紐状構造体への列設が紐状構造体の軸線に対して一列でないように列設されている請求項１から３のいずれか一に記載の視線誘導ポール。
【請求項５】
前記紐状構造体を複数列備えた請求項１から４のいずれか一に記載の視線誘導ポール。
【発明の詳細な説明】
【技術分野】
【０００１】
本発明は、道路の中央分離帯や路側などに設置され、道路の線形や路肩などを示し注意喚起する視線誘導ポールであり、自ら発光することで視線誘導を行う視線誘導ポールに関する。
【背景技術】
【０００２】
従来の視線誘導ポールは、ポール表面等に設けられる反射材が車両の前照灯などからの入射光を反射することで視線誘導を行う反射式のものであった。この方式による視線誘導ポールは、入射光を反射してはじめて視線誘導を行い得るものであるため、無灯火の車両や前照灯を下向きにした車両等に対する視認性が低いという問題があった。
【０００３】
そこで、視認性をより高めるため、自ら発光源を備える自光式の視線誘導ポールが提供されている。例えば、特許文献１に記載の視線誘導ポールは、透明なポール本体の内側に、複数の発光ダイオードを縦に配列した発光パネルを備えるものである。また、発光パネルには、各発光ダイオードへの給電のための配線板も備わる。これら複数の発光ダイオードが発光することにより、視認性に優れる視線誘導ポールを提供することができる。
【先行技術文献】
【特許文献】
【０００４】
【特許文献１】実登３００００４４号公報
【発明の概要】
【発明が解決しようとする課題】
【０００５】
ところで、視線誘導ポールは、道路に設置されるため車両との接触や衝突による損壊が不可避的に生じる。例えば、特許文献１に記載の視線誘導ポールにおいて車両との接触や衝突が生じた場合、板状体である発光パネルが受ける衝撃は配列される発光ダイオードのそれぞれに直接的に伝わり、発光パネルのみならず発光ダイオードをも損壊してしまうおそれがある。
【０００６】
また、発光パネルの損壊は、複数の発光ダイオードを支持する機能と各発光ダイオードへ給電する機能の双方が損なわれることを意味する。すなわち、衝撃を受けた場合、視線誘導ポールの主要な機能が一時に損なわれてしまい、それらのすべてを修繕することは容易ではなく、視線誘導ポールそのものを交換せざるを得ず、その費用は少なくないという問題がある。
【課題を解決するための手段】
【０００７】
そこで、上記課題を解決するために本発明において、以下の視線誘導ポールを提供する。すなわち、第一の発明としては、地面に立設可能な光透過性材料からなる中空ポール本体と、ポール本体の内側空間に吊り下げられ、自身の一端側から他端側にかけて列設される発光可能な複数の素子を備えた紐状構造体と、を有する視線誘導ポールを提供する。
【０００８】
第二の発明としては、紐状構造体は、素子に対して発光するための電力を供給する導電線である第一の発明に記載の視線誘導ポールを提供する。
【０００９】
第三の発明としては、紐状構造体は、下端がポール本体に対して自由運動をするように配置されている第一の発明又は第二の発明に記載の視線誘導ポールを提供する。
【００１０】
第四の発明としては、前記素子は紐状構造体への列設が紐状構造体の軸線に対して一列でないように列設されている第一の発明から第三の発明のいずれか一に記載の視線誘導ポールを提供する。
【００１１】
第五の発明としては、前記紐状構造体を複数列備えた第一の発明から第四の発明のいずれか一に記載の視線誘導ポールを提供する。
【発明の効果】
【００１２】
本発明により、衝撃を受けたことによる損傷を低減するとともに、損傷の程度が大きい場合であっても修繕や交換に要する費用を低減し得る視線誘導ポールを提供することができる。
【図面の簡単な説明】
【００１３】
【図１】本実施形態の視線誘導ポールの一例を示す概念図
【図２】力を受けたときの紐状構造体の態様を示す概念図
【図３】紐状構造体の軸線に対して一列で素子が列設されている態様を示す概念図
【図４】紐状構造体を複数列備える視線誘導ポールの一例を示す概念図
【発明を実施するための形態】
【００１４】
以下、本発明の実施の形態について、添付図面を用いて説明する。なお、本発明は、これら実施形態に何ら限定されるべきものではなく、その要旨を逸脱しない範囲において、種々なる態様で実施し得る。
<実施形態>
<実施形態  概要>
【００１５】
本実施形態に係る視線誘導ポールは、発光可能な複数の素子を備える紐状構造体をポール本体の内側空間に吊り下げて構成することに特徴を有する。紐状構造体は、受けた衝撃を自身が揺れ動くことで運動エネルギーに変換して緩衝することができる。この緩衝作用により、衝突などによる損傷を低減することができる。
<実施形態  構成>
【００１６】
本実施形態に係る視線誘導ポールは、地面に立設可能な光透過性材料からなる中空ポール本体と、ポール本体の内側空間に吊り下げられ、自身の一端側から他端側にかけて列設される発光可能な複数の素子を備えた紐状構造体とを有する。
【００１７】
図１は、本実施形態の視線誘導ポールの一例を示した概念図である。この視線誘導ポールは、中空ポール本体（０１０１）の内側空間に、発光可能な素子である発光ダイオード（０１０３）を複数列設する紐状構造体（０１０２）が吊り下げられている。この紐状構造体は、発光ダイオードに給電する導電線であり、＋側の導電線と−側の導電線とからなる。また、ポール本体の頂部には、発電のための太陽電池パネル（０１０４）が備わる。また、図示しないが、太陽電池パネルにより発電された電力は、蓄電池に蓄えられ導電線を通じて各発光ダイオードへ供給される。
【００１８】
「中空ポール本体」（０１０１）は、地面に立設可能な光透過性材料からなる。地面に立設可能とするためには、図示するように基台（０１０５）の上に取り付けるように構成しても良いし、中空ポール本体の裾の部分を基台のように構成してもよい。
【００１９】
光透過性材料には、例えば、ポリエチレン、ポリプロピレン、ポリエチレンテレフタラートなどの合成樹脂等を用いることができる。光透過の程度は特に限定をするものではなく、中空ポール本体内の発光可能な素子による光を透過し得るものであればよい。また、昼間に目立つようオレンジ等の彩色を施すことも好ましい。さらに、中空ポール本体の表面に反射材を設けることも好ましい。発光による注意喚起に加え、照射される光を反射することによる注意喚起も行い得る。
【００２０】
中空ポール本体は、そのすべてが光透過性材料により形成されることまでを要するものではなく、その一部において光透過性を備えない材料を用いてもよい。
【００２１】
「紐状構造体」（０１０２）は、中空ポール本体の内側空間に吊り下げられ、自身の一端側から他端側にかけて列設される発光可能な素子を備える。立設される中空ポール本体の内側空間に吊り下げられる紐状構造体は、重力によりその長手方向が概ね鉛直方向となる。そして、この紐状構造体の一端側から他端側にかけて発光可能な複数の素子が列設されるので、各素子は、中空ポール本体の長手方向に並んで位置することになる。このように、紐状構造体は、発光可能な複数の素子を中空ポールの内側空間において所定の位置にて支持する機能を果たす。
【００２２】
紐状構造体は、上記の通り発光可能な素子を支持する機能を果たし得るものであればよく、例えば、木綿などの繊維を束ねてなる紐や、ポリプロピレンなどの合成繊維からなる紐などでよい。また、図示したように発光ダイオードなどの素子に給電するための導電線であってもよい。また、伸縮性を備える紐であってもよい。
【００２３】
「発光可能な素子」（０１０３）は、図示した発光ダイオードや白熱電球などであってもよい。素子を発光させるための電力は、基台やポール本体の頂部に乾電池や蓄電池などの電源を備えることにより得てもよいし、外部に設置される電源から得てもよい。また、素子の点灯／点滅の制御を行うための制御回路等を備えていてもよい。さらに、太陽電池パネルによる起電力を測定し、所定の値を下回った場合に点灯／点滅を開始するように制御するように構成してもよい。
【００２４】
図２は、視線誘導ポールが何らかの力を受けたときの紐状構造体の態様を示す概念図である。中空ポール本体（０２０１）が車両等と接触するなどした場合、その接触による力を受けることになる。そのとき、中空ポール本体の内側の紐状構造体（０２０２）は、その姿勢を変え（０２０３）揺れ動くことで、受けた力を運動エネルギーに変換して緩衝する。
【００２５】
この緩衝作用により、紐状構造体と発光可能な素子は損傷しにくくなる。すなわち、紐状構造体と発光可能な素子により果たされる発光機能と発光可能な素子を支持する機能とが損なわれにくくなることを意味し、さらに導電線を紐状構造体とする場合には、発光可能な素子への給電機能が損なわれにくくなることも意味する。
【００２６】
また、紐状構造体の一又は複数箇所にスポンジなどの緩衝部材を付して、発光可能な素子が中空ポール本体の内側の面に衝突しないように、あるいは、衝突したとしても衝撃を和らげるように構成してもよい。
【００２７】
紐状構造体が受けた力を運動エネルギーに変換する効率を高めるために、図示したように紐状構造体の下端が中空ポール本体の底部に届かず、また、中空ポール本体のいずれかの部位に繋がれないように構成することが好ましい。このように構成し紐状構造体の自由な動きを妨げないようにすることにより、運動エネルギーへの変換効率が損なわれにくくなる。
【００２８】
導電線を紐状構造体とする場合には、発光可能な素子を支持する機能と素子への給電機能とを一の部材により果たすことができ、部品点数を減らし製造コストを下げるという効果を得ることができる。
【００２９】
紐状構造体と導電線を個別独立に構成する場合には、導電線に張力がかからないように構成することが好ましい。例えば、紐状構造体は、発光可能な複数の素子のそれぞれを支持するため当然に張力がかかる。そして、紐状構造体に支持される発光可能な素子のそれぞれに対して導電線が配設される。このとき、例えば、素子と素子との間に配設される導電線を、当該素子間の紐状構造体よりも長くしておくことで、当該素子間において配設される導電線に張力がかからなくなる。このように構成することで、結び直しのできる紐状構造体よりも修繕が困難な導電線が切断することを防ぐことができる。
【００３０】
紐状構造体への発光可能な素子の列設は、紐状構造体の軸線に対して一列でないようになされることが好ましい。紐状構造体の軸線とは、紐状構造体の重心位置を鉛直に貫く線である。
【００３１】
図３は、素子の好ましい列設の態様を示す概念図である。図示する視線誘導ポールにおいて、点線矢印（０３０１）で示されるものが紐状構造体（０３０２）の軸線である。この紐状構造体において、素子（０３０３）のそれぞれは軸線に対して一列となって設けられている。
【００３２】
このような場合には、素子からの光の照射方向に偏りが生じてしまい、視る方向によっては視認性が低下してしまうおそれがあり好ましくない。図１に示したように紐状構造体に列設される複数の素子が、軸線に対してそれぞれ異なる方向に向くように列設することにより、視る方向によって視認性に偏りが生じることを防止し得る。なお、特定の方向にのみ注意喚起を行うことが求められる場合には、この限りではない。
【００３３】
図４は、紐状構造体を複数列備える視線誘導ポールの一例を示す概念図である。図４において、中空ポール本体（０４０１）の内側空間に２本の紐状構造体（０４０２、０４０３）が備わる。このように紐状構造体を複数備えることにより、例えば、より多くの発光可能な素子を備えるために便宜であり、また、紐状構造体１本当たりの素子を支持する負担を低減することができる。また、複数列の紐状構造体を備える場合、紐状構造体への給電や点灯制御を個々に行い得るように構成してもよい。
【００３４】
中空ポール本体に孔を設け中空ポール本体の内側空間に空気が流れるように構成してもよい。内側空間に流れる空気により紐状構造体が揺れるに伴い、発光可能な素子が揺れることで注意喚起力が向上し得る。
【００３５】
以上のように、本視線誘導ポールは、衝撃等による力を運動エネルギーに変換して緩衝し得る紐状構造体が発光可能な素子を支持するため、板状体などによって素子を支持する場合に比べ素子の損傷を防ぐことができるとともに、素子を支持する機能の喪失も防ぎ得る。
【００３６】
また、紐状構造体を導電線とする場合には、上記の効果に加え部品点数の減少という効果をも有する。これにより、製造コストや修繕コストを低減することができる。
<実施形態  効果>
【００３７】
本実施形態の視線誘導ポールにより、衝撃による損傷を低減するとともに、損傷した場合の修繕や交換に要する費用を低減し得る。
【符号の説明】
【００３８】
０１０１  中空ポール本体
０１０２  紐状構造体
０１０３  発光ダイオード
０１０４  太陽電池パネル
０１０５  基台
【図１】
2014105435.tif 000003
【図２】
2014105435.tif 000004
【図３】
2014105435.tif 000005
【図４】
2014105435.tif 000006